(57)【要約】【課題】利用者に対して情報提示を行うことができる範囲の自由度を向上させることが可能となる、情報提示システム及び識別情報送信装置を提供すること。【解決手段】情報提供システム１は、識別情報送信装置１０と移動体端末２０とを備える。識別情報送信装置１０は、環境エネルギーを利用して電力を発電する発電ユニット１２と、送信装置識別情報を記憶する識別側記憶部１３と、発電ユニット１２にて発電された電力を用いて送信装置識別情報を含む識別信号を無線にて送信する識別側通信部１４とを備える。移動体端末２０は、識別信号を受信する端末側通信部２１と、識別信号に含まれる送信装置識別情報に基づいて対象情報を取得する端末側情報取得部２５ａとを備える。【選択図】図２
2015187766.tif 000002
【特許請求の範囲】
【請求項１】
識別情報送信装置と移動体端末とを備える情報提示システムであって、
前記識別情報送信装置は、
環境エネルギーを利用して電力を発電する発電手段と、
当該識別情報送信装置を一意に識別するための送信装置識別情報を記憶する識別側記憶手段と、
前記発電手段にて発電された電力を用いて、送信条件が充足した際に、前記識別側記憶手段にて記憶された送信装置識別情報を含む識別信号を無線にて送信する識別側通信手段とを備え、
前記移動体端末は、
前記識別情報送信装置の前記識別側通信手段から送信された識別信号を受信する端末側通信手段と、
前記端末側通信手段にて受信された識別信号に含まれる送信装置識別情報に基づいて、当該移動体端末が備える端末側記憶手段又は当該移動体端末と通信可能に接続された情報提供サーバから対象情報を取得する端末側情報取得手段とを備える、
情報提示システム。
【請求項２】
前記移動体端末は、前記端末側情報取得手段にて取得した対象情報を当該移動体端末の外部に出力する出力手段を備える、
請求項１に記載の情報提示システム。
【請求項３】
前記移動体端末の前記端末側情報取得手段は、前記端末側通信手段にて受信された識別信号に含まれる送信装置識別情報に基づいて、前記識別情報送信装置の位置を特定し、当該特定した位置に応じた対象情報を取得する、
請求項１又は２に記載の情報提示システム。
【請求項４】
前記識別情報送信装置の前記発電手段は、外部からの圧力を受けて発電を行う受圧型発電手段であり、
前記識別情報送信装置の前記識別側通信手段は、前記発電手段が外部からの圧力を受けて発電を行った場合に、前記送信条件が充足したと判定して前記識別信号を送信する、
請求項１から３のいずれか一項に記載の情報提示システム。
【請求項５】
前記識別情報送信装置の前記発電手段は、人が前記発電手段を直接的又は間接的に踏んだ際の圧力によって当該発電手段が発電を行う床型発電手段である、
請求項４に記載の情報提示システム。
【請求項６】
前記識別情報送信装置は、前記発電手段を複数備え、
前記識別情報送信装置の前記識別側通信手段は、前記複数の発電手段のうち、発電を行った前記発電手段を識別する発電手段識別情報を前記識別信号に含めて送信し、
前記移動体端末の前記端末側情報取得手段は、前記端末側通信手段にて受信された識別信号に含まれる送信装置識別情報及び発電手段識別情報に基づいて前記対象情報を取得する、
請求項１から５のいずれか一項に記載の情報提示システム。
【請求項７】
前記移動体端末には、当該移動体端末で利用する対象情報又は当該移動体端末が取得した対象情報に基づく制御内容を特定するための対象情報設定情報が設定されており、当該対象情報設定情報に基づいて対象情報の取得又は取得した対象情報に基づく制御を行う、
請求項１から６のいずれか一項に記載の情報提示システム。
【請求項８】
前記移動体端末は、
前記送信装置識別情報と前記対象情報とを関連付けて記憶する前記端末側記憶手段を備え、
前記移動体端末の前記端末側情報取得手段は、前記端末側通信手段にて受信された識別信号に含まれる送信装置識別情報に対応する前記対象情報を前記端末側記憶手段から取得する、
請求項１から７のいずれか一項に記載の情報提示システム。
【請求項９】
前記移動体端末と通信可能に接続された前記情報提供サーバを備え、
前記情報提供サーバは、
前記送信装置識別情報と前記対象情報とを関連付けて記憶する前記サーバ側記憶手段と、
前記移動体端末と無線通信を行うサーバ側通信手段と、
前記対象情報を取得するサーバ側情報取得手段とを備え、
前記移動体端末の前記端末側情報取得手段は、前記識別情報送信装置から送信され前記端末側通信手段にて受信された識別信号から送信装置識別情報を取得し、当該取得した送信装置識別情報を含む第２識別信号を前記端末側通信手段を介して前記情報提供サーバに送信し、
前記情報提供サーバの前記サーバ側情報取得手段は、前記移動体端末から送信され前記サーバ側通信手段にて受信された第２識別信号から送信装置識別情報を取得し、当該取得した送信装置識別情報に対応する前記対象情報を前記サーバ側記憶手段から取得し、当該取得した前記対象情報を前記サーバ側通信手段を介して前記移動体端末に送信し、
前記移動体端末の前記端末側情報取得手段は、前記端末側通信手段を介して前記情報提供サーバから前記対象情報を受信することにより、前記情報提供サーバから前記対象情報を取得する、
請求項１から７のいずれか一項に記載の情報提示システム。
【請求項１０】
移動体端末に対して情報を提示する情報提示システムを構成する識別情報送信装置であって、
環境エネルギーを利用して電力を発電する発電手段と、
当該識別情報送信装置を一意に識別するための送信装置識別情報を記憶する識別側記憶手段と、
前記発電手段にて発電された電力を用いて、送信条件が充足した際に、前記識別側記憶手段にて記憶された送信装置識別情報を含む識別信号を無線にて前記移動体端末に送信する識別側通信手段と、
を備える識別情報送信装置。
【発明の詳細な説明】
【技術分野】
【０００１】
本発明は、情報提示システム及び識別情報送信装置に関する。
【背景技術】
【０００２】
従来から、利用者の状況に応じた情報を提示することができる情報提示システムが提案されている。このような情報提示システムは、例えば、利用者の存在又は動作を検出するものであって住宅の玄関付近等の特定の場所に固定された複数のセンサと、表示又は音声出力を行うものであってセンサと同様に特定の場所に固定された入力手段と、複数のセンサにより検出された複数のセンサ信号を取得するセンサ情報取得手段と、取得された複数のセンサ信号の組み合わせに基づいて入力手段による表示形態や音声出力形態を変更する利用者インターフェース変更手段とを備えて構成されている（特許文献１参照）。このような情報提示システムによれば、複数のセンサによって検出された利用者の存在又は動作に応じた表示形態や音声出力形態で、利用者に対して表示又は音声出力を行うことが可能になる。
【先行技術文献】
【特許文献】
【０００３】
【特許文献１】特開２０１１−２０４０６１号公報
【発明の概要】
【発明が解決しようとする課題】
【０００４】
しかしながら、上記従来の情報提示システムは、利用者に対して情報提示を行うことができる範囲の自由度が低いという問題があった。すなわち、従来の情報提示システムは、表示又は音声出力を行う入力手段が特定の場所に固定されていたので、利用者に対して情報提示を行うことができる範囲が当該入力手段の周囲に限定されていた。さらには、利用者の存在又は動作を検出する複数のセンサも特定の場所に固定されていたので、利用者がこのセンサの周囲に居る場合にのみ、利用者に対して情報提示を行うことが可能となり、利用者に対して情報提示を行うことができる範囲が当該センサの周囲に限定されていた。このようなセンサの固定位置に関する問題を解消するためには、センサを広い範囲に設置すればよいとも考えられるが、センサを商用電源にて駆動する場合にはコンセントへの接続が物理的に困難であったり、センサを電池にて駆動する場合には電池寿命の問題が生じたりする等、センサを広い範囲に設置することが実際上は困難であった。
【０００５】
本発明は、上記に鑑みてなされたものであって、利用者に対して情報提示を行うことができる範囲の自由度を向上させることが可能となる、情報提示システム及び識別情報送信装置を提供することを目的とする。
【課題を解決するための手段】
【０００６】
上述した課題を解決し、目的を達成するために、請求項１に記載の情報提供システムは、識別情報送信装置と移動体端末とを備える情報提示システムであって、前記識別情報送信装置は、環境エネルギーを利用して電力を発電する発電手段と、当該識別情報送信装置を一意に識別するための送信装置識別情報を記憶する識別側記憶手段と、前記発電手段にて発電された電力を用いて、送信条件が充足した際に、前記識別側記憶手段にて記憶された送信装置識別情報を含む識別信号を無線にて送信する識別側通信手段とを備え、前記移動体端末は、前記識別情報送信装置の前記識別側通信手段から送信された識別信号を受信する端末側通信手段と、前記端末側通信手段にて受信された識別信号に含まれる送信装置識別情報に基づいて、当該移動体端末が備える端末側記憶手段又は当該移動体端末と通信可能に接続された情報提供サーバから対象情報を取得する端末側情報取得手段とを備える。
【０００７】
また、請求項２に記載の情報提供システムは、請求項１に記載の情報提示システムにおいて、前記移動体端末は、前記端末側情報取得手段にて取得した対象情報を当該移動体端末の外部に出力する出力手段を備える。
【０００８】
また、請求項３に記載の情報提供システムは、請求項１又は２に記載の情報提示システムにおいて、前記移動体端末の前記端末側情報取得手段は、前記端末側通信手段にて受信された識別信号に含まれる送信装置識別情報に基づいて、前記識別情報送信装置の位置を特定し、当該特定した位置に応じた対象情報を取得する。
【０００９】
また、請求項４に記載の情報提供システムは、請求項１から３のいずれか一項に記載の情報提示システムにおいて、前記識別情報送信装置の前記発電手段は、外部からの圧力を受けて発電を行う受圧型発電手段であり、前記識別情報送信装置の前記識別側通信手段は、前記発電手段が外部からの圧力を受けて発電を行った場合に、前記送信条件が充足したと判定して前記識別信号を送信する。
【００１０】
また、請求項５に記載の情報提供システムは、請求項４に記載の情報提示システムにおいて、前記識別情報送信装置の前記発電手段は、人が前記発電手段を直接的又は間接的に踏んだ際の圧力によって当該発電手段が発電を行う床型発電手段である。
【００１１】
また、請求項６に記載の情報提供システムは、請求項１から５のいずれか一項に記載の情報提示システムにおいて、前記識別情報送信装置は、前記発電手段を複数備え、前記識別情報送信装置の前記識別側通信手段は、前記複数の発電手段のうち、発電を行った前記発電手段を識別する発電手段識別情報を前記識別信号に含めて送信し、前記移動体端末の前記端末側情報取得手段は、前記端末側通信手段にて受信された識別信号に含まれる送信装置識別情報及び発電手段識別情報に基づいて前記対象情報を取得する。
【００１２】
また、請求項７に記載の情報提供システムは、請求項１から６のいずれか一項に記載の情報提示システムにおいて、前記移動体端末には、当該移動体端末が取得すべき対象情報又は当該移動体端末が取得した対象情報に基づく制御内容を特定するための対象情報設定情報が設定されており、当該対象情報設定情報に基づいて対象情報の取得又は取得した対象情報に基づく制御を行う。
【００１３】
また、請求項８に記載の情報提供システムは、請求項１から７のいずれか一項に記載の情報提示システムにおいて、前記移動体端末は、前記送信装置識別情報と前記対象情報とを関連付けて記憶する前記端末側記憶手段を備え、前記移動体端末の前記端末側情報取得手段は、前記端末側通信手段にて受信された識別信号に含まれる送信装置識別情報に対応する前記対象情報を前記端末側記憶手段から取得する。
【００１４】
また、請求項９に記載の情報提供システムは、請求項１から７のいずれか一項に記載の情報提示システムにおいて、前記移動体端末と通信可能に接続された前記情報提供サーバを備え、前記情報提供サーバは、前記送信装置識別情報と前記対象情報とを関連付けて記憶する前記サーバ側記憶手段と、前記移動体端末と無線通信を行うサーバ側通信手段と、前記対象情報を取得するサーバ側情報取得手段とを備え、前記移動体端末の前記端末側情報取得手段は、前記識別情報送信装置から送信され前記端末側通信手段にて受信された識別信号から送信装置識別情報を取得し、当該取得した送信装置識別情報を含む第２識別信号を前記端末側通信手段を介して前記情報提供サーバに送信し、前記情報提供サーバの前記サーバ側情報取得手段は、前記移動体端末から送信され前記サーバ側通信手段にて受信された第２識別信号から送信装置識別情報を取得し、当該取得した送信装置識別情報に対応する前記対象情報を前記サーバ側記憶手段から取得し、当該取得した前記対象情報を前記サーバ側通信手段を介して前記移動体端末に送信し、前記移動体端末の前記端末側情報取得手段は、前記端末側通信手段を介して前記情報提供サーバから前記対象情報を受信することにより、前記情報提供サーバから前記対象情報を取得する。
【００１５】
また、請求項１０に記載の識別情報送信装置は、移動体端末に対して情報を提示する情報提示システムを構成する識別情報送信装置であって、環境エネルギーを利用して電力を発電する発電手段と、当該識別情報送信装置を一意に識別するための送信装置識別情報を記憶する識別側記憶手段と、前記発電手段にて発電された電力を用いて、送信条件が充足した際に、前記識別側記憶手段にて記憶された送信装置識別情報を含む識別信号を無線にて前記移動体端末に送信する識別側通信手段とを備える。
【発明の効果】
【００１６】
請求項１に記載の情報提供システムによれば、対象情報を移動体端末が取得することで、特定の場所に固定した装置が取得して出力等する場合に比べて、対象情報を取得できる範囲の自由度を向上させることが可能となる。また、識別情報送信装置の発電手段にて発電された電力を用いて識別情報送信装置から識別信号を送信することにより、識別情報送信装置を商用電源や電池にて駆動する場合に比べて、識別信号を送信する範囲の自由度を向上させることが可能となる。これらのことから、全体として、利用者に対して情報提示を行うことができる範囲の自由度を向上させることが可能となる。
【００１７】
請求項２に記載の情報提供システムによれば、対象情報を移動体端末が出力することで、対象情報を出力できる範囲の自由度を向上させることが可能となる。
【００１８】
請求項３に記載の情報提供システムによれば、識別情報送信装置の位置に応じた対象情報を取得することで、同一の移動体端末に対して位置に応じて異なる対象情報を取得することができ、利用者にとっての対象情報の現実感や利便性が一層向上する。
【００１９】
請求項４に記載の情報提供システムによれば、発電手段が外部からの圧力を受けて発電を行った場合に識別信号を送信するので、特定の発電手段を押圧等したことをトリガーとして対象情報を取得することができ、発電手段の位置と対象情報を取得する位置とを相互に一層確実に対応付けることが可能になるので、利用者にとっての対象情報の現実感や利便性が一層向上する。
【００２０】
請求項５に記載の情報提供システムによれば、人が発電手段を直接的又は間接的に踏んだ際の圧力によって発電を行った場合に識別信号を送信するので、人が発電手段を踏んだことをトリガーとして対象情報を出力することができ、人が発電手段を意識的に操作することなく対象情報を取得することができ、利用者にとっての対象情報の利便性が一層向上する。
【００２１】
請求項６に記載の情報提供システムによれば、送信装置識別情報及び発電手段識別情報に基づいて対象情報を取得することで、識別情報送信装置が複数の発電手段を備える場合であっても、発電を行った発電手段に応じて異なる対象情報を取得することができ、利用者にとっての対象情報の現実感や利便性が一層向上する。
【００２２】
請求項７に記載の情報提供システムによれば、対象情報設定情報にて特定された対象情報のみを取得したり、対象情報設定情報にて特定された制御内容による制御のみを行うので、利用者は自己が希望する種類の対象情報のみを取得したり、利用者は自己が希望するサービスのみを受けることが可能になる等、利用者にとっての対象情報の利便性が一層向上する。
【００２３】
請求項８に記載の情報提供システムによれば、移動体端末から対象情報を取得するので、情報提供サーバを用いることなく情報提供を行うことが可能になり、情報提供システムを簡易に構成することが可能になる。
【００２４】
請求項９に記載の情報提供システムによれば、情報提供サーバから対象情報を取得するので、複数の移動体端末の各々に膨大なデータ量の対象情報を記憶させておく必要がなくなり、移動体端末の記憶容量や処理負荷を低減することが可能になる。
【００２５】
請求項１０に記載の識別情報送信装置によれば、識別情報送信装置の発電手段にて発電された電力を用いて識別情報送信装置から識別信号を送信することにより、識別情報送信装置を商用電源や電池にて駆動する場合に比べて、識別信号を送信する範囲の自由度を向上させることが可能となる。
【図面の簡単な説明】
【００２６】
【図１】本実施の形態に係る情報提供システムの設置状況を示す側面図である。
【図２】本実施の形態に係る情報提供システムを例示するブロック図である。
【図３】図１の識別情報送信装置の拡大断面図であって左右の可動板が変位していない状態を示す図である。
【図４】図１の識別情報送信装置の拡大断面図であって左側の可動板が変位している状態を示す図である。
【図５】図１の識別情報送信装置の斜め上方からの斜視図である。
【図６】発電モジュールの分解斜視図である。
【図７】発電モジュールの分解斜視図である。
【図８】識別側情報テーブルの構成例を示す図である。
【図９】対象情報要求設定テーブルの構成例を示す図である。
【図１０】サーバ側情報テーブルの構成例を示す図である。
【図１１】情報提供処理のフローチャートである。
【図１２】図１１に続く、情報提供処理のフローチャートである。
【発明を実施するための形態】
【００２７】
以下に添付図面を参照して、この発明に係る情報提供システムの実施の形態を詳細に説明する。ただし、これらの実施の形態によって本発明が限定されるものではない。
【００２８】
〔I〕実施の形態の基本的概念
まずは、実施の形態の基本的概念について説明する。実施の形態は、概略的に、情報提供システムに関するものである。この「情報提供システム」は、識別情報送信装置と移動体端末とを備えるシステムであって、環境エネルギーを利用して発電された電力を用いて移動体端末に対象情報を提供するシステムである。
【００２９】
ここで、「識別情報送信装置」とは、移動体端末に提供する「対象情報」を特定するための識別情報を送信する装置であり、屋外や屋内を問わず、移動体端末と無線通信可能な任意の場所に設置される。この識別情報送信装置の具体的な構成は任意であり、例えば、公知の汎用情報装置に識別情報の送信機能を付加してもよく、あるいは、識別情報の送信を行う専用装置として構成してもよい。特に、識別情報送信装置は、環境エネルギーを利用して発電された電力を用いて識別情報の送信を行うように構成されており、このことによって、識別情報送信装置を、商用電源を利用することが困難な場所に設置したり、電池寿命に関する問題を気にすることなく設置したりすることができる。
【００３０】
「環境エネルギー」とは、環境において様々な形態で存在するエネルギーを意味し、例えば、光、熱、圧力（水力や波力を含む）、音、振動、及び電波等を含む概念である。このような環境エネルギーを利用した発電（環境発電）により取得した電力であれば、その種類や原理を問わず、利用することが可能である。以下では、環境エネルギーを利用して発電手段を、人が発電手段を直接的又は間接的に踏んだ際の圧力によって当該発電手段が発電を行う「床型発電手段」として構成して場合について説明する。
【００３１】
「移動体端末」とは、移動可能な情報端末であって、例えば、スマートフォンを含む携帯電話端末、タブレット型コンピュータ、ＰＤＡ（Ｐｅｒｓｏｎａｌ  Ｄｉｇｉｔａｌ  Ａｓｓｉｓｔａｎｃｅ）、メガネ型コンピュータの如きウェアラブルデバイス、及び車両に搭載されたカーナビゲーション装置を含む概念である。以下では、情報端末がスマートフォンである場合について説明する。
【００３２】
移動体端末に提供する「対象情報」の具体的な形態や内容は任意であり、例えば、音声情報、静止画像情報、動画情報、移動体端末にインストールされるプログラム、移動体端末にインストールされたプログラムを制御するための制御コマンドや制御パラメータ、及びこれらを複合した情報であって、移動体端末が利用されている場所に関する情報や、移動体端末が利用されている場所とは無関係な情報を提供することができる。移動体端末が利用されている場所に関する対象情報としては、例えば、移動体端末がオフィス、店舗、あるいはテーマパークで利用されている場合におけるこれらオフィス、店舗、あるいはテーマパークに関する情報（商品情報、営業時間、フロアガイド、テーマパークのキャラクターの画像）が挙げられる。移動体端末が利用されている場所とは無関係な対象情報としては、例えば、株価情報、今日の運勢が挙げられる。以下では、移動体端末がテーマパークで利用されている場合においてテーマパークに関する対象情報を提供する場合について説明する。
【００３３】
移動体端末に提供する「対象情報」の提供元としては、移動体端末と、情報提供サーバとを挙げることができる。移動体端末が提供元になる場合としては、移動体端末に記憶させた対象情報を当該移動体端末において出力する場合が該当する。情報提供サーバが提供元になる場合としては、情報提供サーバから移動体端末に送信した対象情報を当該移動体端末において出力する場合が該当する。これらの形態は、混在させることも可能であり、例えば、対象情報の種類や内容に応じて、移動体端末に記憶させた対象情報と情報提供サーバから移動体端末に送信した対象情報のいずれか又は両方を当該移動体端末において出力するようにしてもよい。以下では、情報提供サーバから移動体端末に送信した対象情報を当該移動体端末において出力する場合について説明する。
【００３４】
また、識別情報送信装置、移動体端末、情報提供サーバの対応関係は任意に決定することができるが、これらをそれぞれ少なくとも１台設ければよいが、以下では、複数台の識別情報送信装置及び複数台の移動体端末に対して１台の情報提供サーバを対応させて設置した場合について説明する。
【００３５】
〔II〕実施の形態の具体的内容
次に、実施の形態の具体的内容について説明する。
【００３６】
（構成）
最初に、本実施の形態に係る情報提供システムの構成について説明する。図１は、情報提供システム１の設置状況を示す側面図、図２は、本実施の形態に係る情報提供システムを例示するブロック図である。これら図１、２に示すように、情報提供システム１は、複数台の識別情報送信装置１０、複数台の移動体端末２０、及び１台の情報提供サーバ３０を備えて構成されている。識別情報送信装置１０は、利用者に対象情報を提供したい場所に設置されており、具体的には、テーマパークにおける領域Ｒ１の床部と領域Ｒ２の床部にそれぞれ１台設置されている。複数台の移動体端末２０は、テーマパークを利用する利用者によって１台ずつ保持されている。情報提供サーバ３０は、テーマパークのサーバルーム（図示省略）に設置されている。なお、複数台の識別情報送信装置１０は相互に同様に構成することができ、複数台の移動体端末２０は相互に同様に構成することができるので、以下の構成の説明においては、１台の識別情報送信装置１０と１台の移動体端末２０を対象に説明する。
【００３７】
（構成−識別情報送信装置）
まず、識別情報送信装置１０について説明する。図３は、図１の識別情報送信装置１０の拡大断面図であって左右の可動板が変位していない状態を示す図、図４は、図１の識別情報送信装置１０の拡大断面図であって左側の可動板が変位している状態を示す図、図５は、図１の識別情報送信装置１０の斜め上方からの斜視図である。この識別情報送信装置１０は、筐体１１の内部に、複数の発電ユニット１２、識別側記憶部１３、識別側通信部１４、及び識別側制御部１５を収容して構成されている。
【００３８】
（構成−識別情報送信装置−筐体）
筐体１１は、利用者が歩行可能なものであって、当該歩行による外力を受けて変位するものである。この筐体１１は、全体として中空直方体状に形成されており、固定板１１ａと、複数の支持板１１ｂと、複数の可動板１１ｃとを備えて構成されている。固定板１１ａは、図示しない設置面に対して固定的に配置された板状体であり、その上面は平坦面とされている。支持板１１ｂは、固定板１１ａから可動板１１ｃに向けて立ち上がるように配置された板状体である。複数の可動板１１ｃは、固定板１１ａに対して可動可能なように配置された板状体であり、筐体１１の上端において、水平方向に沿って並設されている。これら複数の可動板１１ｃの各々は、その四周において支持板１１ｂによって公知の嵌合構造によって支持されている。このような構造において、可動板１１ｃが外力を受けていない状態（非押圧状態）では、図３に示すように可動板１１ｃが水平状態となる。一方、可動板１１ｃが外力を受けている状態では、図４に示すように、可動板１１ｃが固定板１１ａに近接する方向に変形して非水平状態となる。このように構成された筐体１１は、例えば、金属、樹脂、木材を用いて、外力による繰り返し荷重に耐え得る十分な強度を持って形成される。また、図５に示すように、複数の可動板１１ｃの各々の上面には、位置方向表示１１ｄが印刷等によって付されている。この位置方向表示１１ｄは、利用者が対象情報の提供を受ける位置や方向を表示するためのマークであり、例えば、特定の位置において特定の方向に向いた状態で対象情報の提供を受けるべき場合には、当該特定の位置において当該特定の方向を向いた矢印が位置方向表示１１ｄとして使用され、特定の位置において任意の方向に向いた状態で対象情報の提供を受けるべき場合には、当該特定の位置において丸印が位置方向表示１１ｄとして使用される。
【００３９】
（構成−識別情報送信装置−発電ユニット）
複数の発電ユニット１２の各々は、環境エネルギーを利用して電力を発電する発電手段であり、特にこの実施の形態においては、人が発電部を直接的又は間接的に踏んだ際の圧力によって当該発電部が発電を行う「床型発電手段」として構成されている。これら複数の発電ユニット１２は、筐体１１の可動板１１ｃに対応する位置にそれぞれ配置されている。これら複数の発電ユニット１２は相互に同様に構成することができるので、以下の構成の説明においては１つの発電ユニット１２を対象に説明する。
【００４０】
（構成−識別情報送信装置−発電ユニット−発電モジュール）
発電ユニット１２は、少なくとも１つ（図３、４では２つ）の発電モジュール１２ａを備えて構成されており、外力によって可動板１１ｃが固定板１１ａに近接する方向に移動した状態において、当該可動板１１ｃを介して発電モジュール１２ａの後述する圧電素子１２ｄが押圧され変形することにより発電するものである。
【００４１】
図６、７は、発電モジュール１２ａの分解斜視図である。これら各図に示すように、発電モジュール１２ａは、一対の発電体１２ｂを重合して構成されている。各発電体１２ｂは、振動板１２ｃと、一対の圧電素子１２ｄと、周辺スペーサ１２ｅと、中心スペーサ１２ｆとを備えている。
【００４２】
振動板１２ｃは、圧電素子１２ｄに応力を加える支持体であると共に、圧電素子１２ｄの割れ強度を補強する補強材を兼ねるものであり、可撓性と耐久性を有する材質（例えば、ステンレス薄板）より形成される。この振動板１２ｃの平面形状は任意であるが、外力に対して均等に変形することが好ましく、本実施の形態１においては振動板１２ｃの平面形状を円形板状体としている。
【００４３】
一対の圧電素子１２ｄは、筐体１１の内部に配置され、筐体１１の変位に伴って変形されることで発電する発電体であり、例えば、チタン酸バリウム、ジルコニア等の圧電セラミックス、リチウムタンタレート（ＬｉＴａＯ３）等の圧電単結晶からなる。各圧電素子１２ｄは、振動板１２ｃの両面において、当該振動板１２ｃに対して接着剤等にて固定されている。これら圧電素子１２ｄの平面形状は任意であるが、振動板１２ｃと相似形状とすることが好ましく、本実施の形態１においては圧電素子１２ｄの平面形状を、振動板１２ｃより小径の円形板状体としている。振動板１２ｃに対する圧電素子１２ｄの平面的な配置位置も任意であるが、振動板１２ｃの平面中心位置における変形量が最も大きくなることから、当該平面中心位置に圧電素子１２ｄを配置することが好ましく、本実施の形態１においては振動板１２ｃと同心となる位置に圧電素子１２ｄを配置している。なお、図示は省略するが、圧電素子１２ｄは、一方の面にプラス端子、他方の面にマイナス端子を有し、プラス端子と結線されたプラスリード線と、マイナス端子と結線されたマイナスリード線が引き出され、これらが図示しない電源回路を介して識別情報送信装置１０の各部に供給される。ただし、圧電素子１２ｄと電源回路との相互間に公知のブリッジ回路等の各種電気素子を配置してもよい。あるいは、圧電素子１２ｄとして、若しくは圧電素子１２ｄに代えて、外力（歪み、屈曲、若しくは圧縮を生じさせる力を含む）により発電が可能な任意の素材を用いることができ、例えば、イオン導電性高分子の膜（ゲル）の両面に金属（金等）をメッキしたイオン高分子金属複合材料（ＩＰＭＣ：Ｉｏｎｉｃ  Ｐｏｌｙｍｅｒ−Ｍｅｔａｌ  Ｃｏｍｐｏｓｉｔｅ）や、イオン導電性高分子ゲル膜（ＩＣＰＦ：Ｉｏｎｉｃ  Ｃｏｎｄｕｃｔｉｎｇ  Ｐｏｌｙｍｅｒｇｅｌ  Ｆｉｌｍ）、あるいは、これらＩＰＭＣやＩＣＰＦを用いた人工筋肉を使用することができる。
【００４４】
周辺スペーサ１２ｅは、振動板１２ｃ及び圧電素子１２ｄと固定板１１ａとの相互間隔を形成するためのものである。このことにより、周辺スペーサ１２ｅは、振動板１２ｃと共に圧電素子１２ｄが変形して発電することを可能にすると共に、振動板１２ｃ及び圧電素子１２ｄが所定量以上変形して破損等することを防止するストッパとして機能する。この周辺スペーサ１２ｅは、振動板１２ｃの外縁近傍位置に当接するように配置され、振動板１２ｃに接着剤にて固定されている。また、周辺スペーサ１２ｅは、振動板１２ｃと共に圧電素子１２ｄが変形可能となるように、当該圧電素子１２ｄの肉厚よりも高くなるように形成されている。この周辺スペーサ１２ｅの具体的な形状は任意であるが、振動板１２ｃに対して均等に当接して力を分散することが好ましいため、本実施の形態１においては、圧電素子１２ｄを取り巻くように形成されたものであって、振動板１２ｃと同心位置に配置された環状体として形成されている。
【００４５】
このような構成において発電パネル１０を利用者が歩行することにより、当該発電パネル１０に外力が加わった場合、可動板１１ｃが固定板１１ａに近接する方向に移動し、この可動板１１ｃによって周辺スペーサ１２ｅが下方に押圧されて振動板１２ｃが変形し、これに伴って圧電素子１２ｄが変形することで、発電を行う。
【００４６】
また、中心スペーサ１２ｆは、発電体１２ｂの相互間隔を形成するためのものであると共に、可動板１１ｃの押圧力を一方の発電体１２ｂから他の発電体１２ｂに伝達するためのものである。この中心スペーサ１２ｆは、振動板１２ｃに固定された一対の圧電素子１２ｄの一方（ここでは、周辺スペーサ１２ｅから遠い方の圧電素子１２ｄ）に当接するものであって、当該圧電素子１２ｄの中央近傍に配置され、当該圧電素子１２ｄに対して接着剤等にて固定されている。なお、ここでは、下方の発電体１２ｂの中心スペーサ１２ｆと、上方の発電体１２ｂの中心スペーサ１２ｆとを別々に示しているが、これらを相互に一つの中心スペーサとして一体的に形成してもよい。
【００４７】
（構成−識別情報送信装置−識別側記憶部）
識別側記憶部１３は、識別情報送信装置１０の動作に必要なプログラム及び各種のデータを記録する記録手段である。この識別側記憶部１３は、例えば、外部記録装置としてのハードディスク（図示省略）を用いて構成されているが、ハードディスクに代えてあるいはハードディスクと共に、ＥＥＰＲＯＭ等の半導体記録媒体、磁気ディスクの如き磁気的記録媒体、又はＤＶＤやブルーレイディスクの如き光学的記録媒体を含む、その他の任意の記録媒体を用いることができる（後述する、移動体端末２０の端末側記憶部２４と情報提供サーバ３０のサーバ側記憶部３２についても同様とする）。
【００４８】
特に、識別側記憶部１３は、識別情報送信装置１０を一意に識別するための送信装置識別情報と、識別情報送信装置１０が備える複数の発電ユニット１２を一意に識別するための発電ユニット識別情報とを記憶する識別側記憶手段として構成されている。具体的には、これら送信装置識別情報と発電ユニット識別情報とを相互に関連付けて構成された識別側情報テーブル１３ａが識別側記憶部１３に記憶されている。図８は、この識別側情報テーブル１３ａの構成例を示す図である。この識別側情報テーブル１３ａは、項目「送信装置識別情報」と項目「発電ユニット識別情報」とを含み、これら各項目に対応する情報を関連付けて構成されている。項目「送信装置識別情報」に対応する情報は、当該識別側情報テーブル１３ａが記憶されている識別側記憶部１３を備える識別情報送信装置１０の送信装置識別情報であり、例えば、「ＩＤＡ０００１」が格納されている。項目「発電ユニット識別情報」に対応する情報は、４つの発電ユニット１２の各々の発電ユニット識別情報であり、例えば、「ＩＤＢ０００１」、「ＩＤＢ０００２」、「ＩＤＢ０００３」、「ＩＤＢ０００４」が格納されている。この識別側情報テーブル１３ａは、識別情報送信装置１０の管理者が任意の方法で作成して予め識別側記憶部１３に記憶させる。
【００４９】
（構成−識別情報送信装置−識別側通信部）
識別側通信部１４は、発電ユニット１２にて発電された電力を用いて、送信条件が充足した際に、識別側記憶部１３にて記憶された送信装置識別情報を含む識別信号を無線にて送信する識別側通信手段である。この識別側通信部１４の具体的な構造や通信方法は任意であるが、本実施の形態においては、識別側通信部１４は、公知の構造によりＢｌｕｅｔｏｏｔｈ（登録商標）のような近距離無線通信規格による近距離無線通信を行う。
【００５０】
（構成−識別情報送信装置−識別側制御部）
識別側制御部１５は、識別情報送信装置１０を制御する制御手段である。この識別側制御部１５は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（後述する移動体端末２０の端末側制御部２５と情報提供サーバ３０のサーバ側制御部３３についても同様とする）。この識別側制御部１５に対しては識別情報送信装置用プログラムが、任意の記録媒体又はネットワークを介してインストールされることで、識別側制御部１５の各部を実質的に構成する。
【００５１】
（構成−移動体端末）
次に、移動体端末２０について説明する。図１に示すように、この移動体端末２０は、端末側通信部２１、入力部２２、出力部２３、端末側記憶部２４、及び端末側制御部２５を備える。
【００５２】
（構成−移動体端末−端末側通信部）
端末側通信部２１は、識別情報送信装置１０から情報を受信すると共に、情報提供サーバ３０と通信を行う通信手段である。この端末側通信部２１の具体的な構造や通信方法は任意であるが、本実施の形態においては、端末側通信部２１は、識別側通信部１４との間で、公知の構造によりＢｌｕｅｔｏｏｔｈ（登録商標）のような近距離無線通信規格による近距離無線通信を行うと共に、後述するサーバ側通信部３１との間で、公知の構造によりインターネットの如きネットワークを介した無線通信を行う。なお、本実施の形態においては、識別側通信部１４との間で通信を行う手段とサーバ側通信部３１との間で通信を行う手段を端末側通信部２１として一括して説明しているが、実際には、これら各手段を別々に構成してもよい。
【００５３】
（構成−移動体端末−入力部）
入力部２２は、利用者から移動体端末２０に対して情報を入力するための入力手段である。この入力部２２の具体的な構成は任意であるが、例えば、入力部２２は、ユーザの指等で押圧されることにより、当該ユーザから各種手動入力を受け付ける公知のタッチパネルとして構成されている。このタッチパネルは、透明又は半透明状に形成され、後述する出力部２３を構成するディスプレイの前面において当該ディスプレイの表示面と重畳するように設けられている。このタッチパネルとしては、例えば抵抗膜方式や静電容量方式等による操作位置検出手段を備えた公知のタッチパネルを使用することができる。
【００５４】
（構成−移動体端末−出力部）
出力部２３は、移動体端末２０から外部（利用者）に対して情報を出力するための出力手段である。この入力部２２の具体的な構成は任意であるが、例えば、出力部２３は、ディスプレイ及びスピーカとして構成されている。ディスプレイの具体的な構成は任意であり、公知の液晶ディスプレイや有機ＥＬディスプレイの如きフラットパネルディスプレイを使用することができる。スピーカの具体的な構成も任意であり、公知のピエゾフィルムスピーカを使用することができる。
【００５５】
（構成−移動体端末−端末側記憶部）
端末側記憶部２４は、移動体端末２０の動作に必要なプログラム及び各種のデータを記録する記録手段である。この端末側記憶部２４には、移動体端末２０を一意に識別するための端末識別情報と、移動体端末２０が取得すべき対象情報を設定するための対象情報設定情報とが記憶されている。端末識別情報は、例えば、「ＩＤＣ０００１」のように端末側記憶部２４に記憶されている。この端末識別情報は、移動体端末２０の製造工場出荷時等に予め端末側記憶部２４に記憶される。また、対象情報設定情報は、例えば、対象情報設定情報を設定するための対象情報要求設定テーブル２４ａにより記憶されている。図９は、この対象情報要求設定テーブル２４ａの構成例を示す図である。この対象情報要求設定テーブル２４ａは、項目「対象情報種別情報」と項目「対象情報設定情報」とを含み、これら各項目に対応する情報を関連付けて構成されている。項目「対象情報種別情報」に対応する情報は、対象情報の種別を特定するための情報であり、例えば、対象情報がテーマパークのイベントの開催情報や各アトラクションの混雑情報を含む告知情報であることを示す「告知」、対象情報が商品やサービスの購入割引に利用できるクーポンであることを示す「クーポン」、及び対象情報がテーマパークのキャラクターの画像であることを示す「キャラクター」である。項目「対象情報設定情報」に対応する情報は、移動体端末２０において取得すべき対象情報を設定するための情報であり、対象情報を取得することを示す「取得ＯＫ」と、対象情報を取得しないことを示す「取得ＮＧ」のいずれかである。この対象情報要求設定テーブル２４ａは、移動体端末２０の利用者が入力部２２を介した任意の方法で作成して予め端末側記憶部２４に記憶させる。
【００５６】
（構成−移動体端末−端末側制御部）
端末側制御部２５は、移動体端末２０を制御する制御手段である。この端末側制御部２５に対しては移動体端末用プログラムが、任意の記録媒体又はネットワークを介してインストールされることで、端末側制御部２５の各部を実質的に構成する。この端末側制御部２５は、機能概念的に、端末側情報取得部２５ａを備える。この端末側情報取得部２５ａは、端末側通信部２１にて受信された識別信号に含まれる送信装置識別情報に基づいて、情報提供サーバ３０から対象情報を取得する端末側情報取得手段である。この端末側情報取得部２５ａによって実行される処理の詳細については後述する。
【００５７】
（構成−情報提供サーバ）
次に、情報提供サーバ３０について説明する。図２に示すように、この情報提供サーバ３０は、サーバ側通信部３１、サーバ側記憶部３２、及びサーバ側制御部３３を備える。
【００５８】
（構成−情報提供サーバ−サーバ側通信部）
サーバ側通信部３１は、移動体端末２０と通信を行う通信手段である。このサーバ側通信部３１の具体的な構造や通信方法は任意であるが、本実施の形態においては、サーバ側通信部３１は、端末側通信部２１との間で、公知の構造によりインターネットの如きネットワークを介した無線通信を行う。
【００５９】
（構成−情報提供サーバ−サーバ側記憶部）
サーバ側記憶部３２は、情報提供サーバ３０の動作に必要なプログラム及び各種のデータを記録する記録手段である。特に、サーバ側記憶部３２は、送信装置識別情報と対象情報とを関連付けて記憶する前記サーバ側記憶手段として構成されている。具体的には、これら送信装置識別情報と対象情報とを相互に関連付けて構成されたサーバ側情報テーブル３２ａがサーバ側記憶部３２に格納されている。図１０は、サーバ側情報テーブル３２ａの構成例を示す図である。このサーバ側情報テーブル３２ａは、項目「場所特定情報」、項目「送信装置識別情報」、項目「発電ユニット識別情報」、項目「対象情報」、項目「対象情報種別情報」、項目「端末識別情報」、及び項目「情報提供日時」を含み、これら各項目に対応する情報を関連付けて構成されている。項目「場所特定情報」は、移動体端末２０の場所を特定するための情報であり、本実施の形態においては、移動体端末２０が設置された領域Ｒ１、Ｒ２のいずれかである。項目「送信装置識別情報」に対応する情報と項目「発電ユニット識別情報」に対応する情報は、図８に示した同一項目に対応する情報と同じであり、情報提供サーバ３０と通信する全ての識別情報送信装置１０に設定された送信装置識別情報及び発電ユニット識別情報である。項目「対象情報」に対応する情報は、移動体端末２０に提供する対象情報を一意に特定するための情報であり、例えば、サーバ側記憶部３２に記憶されている複数の対象情報のファイル名である。項目「対象情報種別情報」に対応する情報は、図９に示した同一項目に対応する情報と同じである。項目「端末識別情報」に対応する情報は、図１の移動体端末２０の端末側記憶部２４に記憶される端末識別情報と同じである。項目「情報提供日時」に対応する情報は、移動体端末２０に対象情報を提供した日時を特定するための情報であり、例えば、「２０１４０２０１１３００」は、２０１４年０２月０１日の１３時００分に移動体端末２０に対象情報を提供したことを示す。これら項目「端末識別情報」に対応する情報と項目「情報提供日時」に対応する情報を含めることで、サーバ側情報テーブル３２ａに記憶された情報は、対象情報が提供された移動体端末２０や日時の履歴を特定するための対象情報提供履歴情報を構成する。場所特定情報、送信装置識別情報、発電ユニット識別情報、対象情報、及び対象情報種別情報の１つの組み合わせに対して、当該組み合わせで特定される識別情報送信装置１０から対象情報が送信された数に応じて、端末識別情報と情報提供日時の組み合わせが１つ又は複数対応付けで記憶される。ただし、未だ対象情報が送信されていない場合には、「ＮＵＬＬ」が記憶される。このサーバ側情報テーブル３２ａは、情報提供サーバ３０の管理者が任意の方法で作成して予めサーバ側記憶部３２に記憶させた後、後述する情報提供処理によって更新等される。
【００６０】
（構成−情報提供サーバ−サーバ側制御部）
サーバ側制御部３３は、情報提供サーバ３０を制御する制御手段である。このサーバ側制御部３３に対しては情報提供サーバ用プログラムが、任意の記録媒体又はネットワークを介してインストールされることで、サーバ側制御部３３の各部を実質的に構成する。このサーバ側制御部３３は、機能概念的に、サーバ側情報取得部３３ａを備える。このサーバ側情報取得部３３ａは、対象情報を取得するサーバ側情報取得手段である。このサーバ側情報取得部３３ａによって実行される処理の詳細については後述する。
【００６１】
（処理）
次に、このように構成された情報提供システム１によって実行される情報提供処理について説明する。図１１、１２は情報提供処理のフローチャートである（以下の各処理の説明ではステップを「Ｓ」と略記する）。この情報提供処理は、例えば、識別情報送信装置１０、移動体端末２０、及び情報提供サーバ３０の各々に電源が投入された後に起動される。
【００６２】
利用者は、移動体端末２０を持った状態において、領域Ｒ１、Ｒ２のいずれかを歩き、これら領域Ｒ１、Ｒ２のいずれかの床部に設置された識別情報送信装置１０の可動板１１ｃの位置方向表示１１ｄを発見した場合、当該位置方向表示１１ｄがある位置において、当該位置方向表示１１ｄが付された可動板１１ｃを踏む。この際、利用者は、位置方向表示１１ｄである矢印によって特定の方向が表示されている場合には、当該特定の方向に移動体端末２０をかざした状態（移動体端末２０の出力部２３を自分に向けたまま、移動体端末２０を全体として特定の方向に向けて保持した状態）で可動板１１ｃを踏む。
【００６３】
すると、この可動板１１ｃが利用者の体重に応じた外力を受けて変形し、これに伴って当該変形した可動板１１ｃに対応する位置に配置されている発電ユニット１２の圧電素子が変形して電力を発電する。この電力は、図示しない整流部等の公知の電力供給回路を介して識別情報送信装置１０の各部に供給される。このように電力の供給を受けた識別側制御部１５は、送信条件が充足したか否かを判定する（ＳＡ１）。ここで「送信条件」とは、送信装置識別情報を送信する条件である。例えば、送信条件は、利用者によって可動板１１ｃが踏まれたこと（電力が発電されたこと）であってもよく、あるいは、利用者によって可動板１１ｃが踏まれてから（電力が発電されてから）所定時間が経過したことであってもよい。以下では、送信条件が、利用者によって可動板１１ｃが踏まれたこと（電力が発電されたこと）である場合について説明する。ここでは、発電された電力の供給を受けて識別側制御部１５が送信条件の充足を判定しており、この際には必ず利用者によって可動板１１ｃが踏まれていることになるため、識別側制御部１５は送信条件が充足したと判定する。
【００６４】
送信条件が充足したと判定した場合（ＳＡ１、Ｙｅｓ）、識別側制御部１５は、識別側記憶部１３から送信装置識別情報及び発電ユニット識別情報を取得し（ＳＡ２）、当該取得した送信装置識別情報及び発電ユニット識別情報を含む識別信号を所定フォーマットで生成し、当該生成した識別信号を識別側通信部１４を介して移動体端末２０に無線送信する（ＳＡ３）。この送信も、発電ユニット１２によって発電した電力によって行われる。この際、送信装置識別情報については、識別側記憶部１３の識別側情報テーブル１３ａから取得する。また、発電ユニット識別情報については、利用者が踏んだ可動板１１ｃに対応する発電ユニット１２であって、電力を発電した発電ユニット１２に対応する発電ユニット識別情報を識別側記憶部１３の識別側情報テーブル１３ａから取得する。例えば、識別側制御部１５は、各発電ユニット１２と当該識別側制御部１５とを結ぶ電力線路のうち、いずれの電力線路から電力が供給されたのかを公知の方法で識別することで、電力を発電した発電ユニット１２を特定し、当該特定した発電ユニット１２に対応する発電ユニット識別情報を識別側情報テーブル１３ａから取得する。
【００６５】
一方、移動体端末２０の端末側制御部２５は、端末側通信部２１を介して識別信号が受信されたか否かを監視しており（ＳＡ４）、識別信号が受信された場合には（ＳＡ４、Ｙｅｓ）、当該識別信号から送信装置識別情報及び発電ユニット識別情報を取得し（ＳＡ５）、端末側記憶部２４から自己の端末識別情報を取得する（ＳＡ６）。そして、端末側制御部２５は、これら取得した送信装置識別情報、発電ユニット識別情報、及び端末識別情報を含む第２識別信号を所定フォーマットで生成し、当該生成した第２識別信号を端末側通信部２１を介して情報提供サーバ３０に送信する（ＳＡ７）。
【００６６】
情報提供サーバ３０のサーバ側情報取得部３３ａは、サーバ側通信部３１を介して第２識別信号が受信されたか否かを監視しており（ＳＡ８）、識別信号が受信された場合には（ＳＡ８、Ｙｅｓ）、当該識別信号から送信装置識別情報、発電ユニット識別情報、及び端末識別情報を取得する（ＳＡ９）。そして、サーバ側情報取得部３３ａは、当該取得した送信装置識別情報及び発電ユニット識別情報に対応する対象情報と対象情報種別情報とをサーバ側記憶部３２のサーバ側情報テーブル３２ａから取得し（ＳＡ１０）、これら対象情報及び対象情報種別情報を含む情報提供信号を生成し、当該生成した情報提供信号をサーバ側通信部３１を介して移動体端末２０に送信する（ＳＡ１１）。すなわち、情報提供信号を移動体端末２０にプッシュ配信する。また、サーバ側情報取得部３３ａは、このように情報提供信号を送信した場合には、ＳＡ９で取得した端末識別情報を、当該送信した情報提供信号に含めた対象情報に対応させてサーバ側情報テーブル３２ａに記憶させることにより、サーバ側情報テーブル３２ａを更新する（ＳＡ１２）。
【００６７】
移動体端末２０の端末側制御部２５は、端末側通信部２１を介して情報提供信号が受信されたか否かを監視しており（ＳＡ１３）、情報提供信号が受信された場合には（ＳＡ１３、Ｙｅｓ）、当該情報提供信号から対象情報及び対象情報種別情報を取得する（ＳＡ１４）。そして、端末側制御部２５は、当該取得した対象情報種別情報に基づいて、当該取得した対象情報を出力すべきか否かを判定する（ＳＡ１５）。具体的には、当該取得した対象情報種別情報に対応する対象情報設定情報を端末側記憶部２４の対象情報要求設定テーブル２４ａから取得し、当該取得した対象情報設定情報＝取得ＯＫである場合には、対象情報を出力すべきと判定し、当該取得した対象情報設定情報＝取得ＮＧである場合には、対象情報を出力すべきではないと判定する。そして、対象情報を出力すべきではないと判定した場合（ＳＡ１５、Ｎｏ）、端末側制御部２５は、ＳＡ１４において取得した対象情報を出力部２３を介して出力させることなく、情報提供処理を終了する。一方、対象情報を出力すべきであると判定した場合（ＳＡ１５、Ｙｅｓ）、端末側制御部２５は、ＳＡ１４において取得した対象情報を出力部２３を介して出力させた後（ＳＡ１６）、情報提供処理を終了する。以降同様に、利用者によって識別情報送信装置１０の可動板１１ｃが踏まれる毎に、ＳＡ１〜ＳＡ１６が繰り返し行われる。
【００６８】
このような情報提供処理を行うことで、移動体端末２０には、利用者が可動板１１ｃを踏んだことによって発電された電力を利用して、利用者が可動板１１ｃを踏んだ位置及び方向に基づいて、利用者が移動体端末２０の対象情報要求設定テーブル２４ａに設定した対象情報設定情報に応じて、対象情報の出力が行われる。例えば、利用者が領域Ｒ１の識別情報送信装置１０において、丸印である位置方向表示１１ｄが付された可動板１１ｃを踏んだ場合には、領域Ｒ１で開催されているイベントの開催情報が移動体端末２０の出力部２３に出力される。あるいは、利用者が領域Ｒ１の識別情報送信装置１０において、矢印である位置方向表示１１ｄが付された可動板１１ｃを踏んだ場合には、領域Ｒ１に設定されているキャラクターの画像が移動体端末２０の出力部２３に出力される。もしくは、利用者が領域Ｒ２の識別情報送信装置１０において、矢印である位置方向表示１１ｄが付された可動板１１ｃを踏んだ場合には、領域Ｒ２に設定されているキャラクターの画像が移動体端末２０の出力部２３に出力される。このように、このように出力を行う位置を限定した対象情報を予め情報提供サーバ３０に格納しておくことで、出力を行う位置に合致した対象情報を提供することが可能となり、利用者にとっての対象情報の現実感や利便性が向上する。特に、このような対象情報の出力に際しては、公知のＡＲ（Ａｕｇｍｅｎｔｅｄ  Ｒｅａｌｉｔｙ）を適用してもよく、例えば、利用者が移動体端末２０に設けられている公知の撮影機能を用いて、矢印である位置方向表示１１ｄにより特定された方向の撮影を行っている状態において当該撮影された画像の中に、キャラクターの画像等を合成して表示するようにしてもよい。
【００６９】
また、例えば、利用者が、位置方向表示１１ｄである矢印によって表示された特定の方向に移動体端末２０をかざしている場合、当該移動体端末２０をかざしている特定の方向に合致したキャラクターの画像（例えば、利用者が特定の方向を向いた際に見える景色を背景とするキャラクターの画像）が出力部２３に出力される。すなわち、このように出力を行う位置及び方向までを限定した対象情報を予め情報提供サーバ３０に格納しておくことで、出力を行う位置及び方向に合致した対象情報を提供することが可能となり、利用者にとっての対象情報の現実感や利便性が一層向上する。
【００７０】
さらに、利用者が、対象情報がクーポンである場合にのみ取得し、他の対象情報は取得したくない場合には、対象情報要求設定テーブル２４ａの対象情報設定情報を自己の希望に合わせて設定しておけばよく、この場合には、可動板１１ｃを踏むことによって情報提供サーバ３０から取得された対象情報が、クーポンである場合にのみ、移動体端末２０から出力される。すなわち、このように利用者が出力したい対象情報の種別を設定することにより、自己が対象情報を介して受けたいサービスを選択することが可能になり、不要なサービスまで受けなければならない場合の煩わしさを解消することが可能になるので、利用者の利便性を一層向上させることが可能になる。
【００７１】
また、情報提供サーバ３０には、対象情報を送信した際に端末識別情報と情報提供日時が蓄積されるので、どの場所でどのような対象情報を送信したのかを特定することが可能となり、例えば、同一の端末識別情報に対する対象情報の送信状況をトラッキングすることで、利用者の行動履歴を特定することや、利用者の嗜好を解析することが可能になる。
【００７２】
（効果）
このように本実施の形態によれば、対象情報を移動体端末２０の出力手段を介して出力することで、特定の場所に固定した装置から出力する場合に比べて、対象情報を出力できる範囲の自由度を向上させることが可能となる。また、識別情報送信装置１０の発電手段にて発電された電力を用いて識別情報送信装置１０から識別信号を送信することにより、識別情報送信装置１０を商用電源や電池にて駆動する場合に比べて、識別信号を送信する範囲の自由度を向上させることが可能となる。これらのことから、全体として、利用者に対して情報提示を行うことができる範囲の自由度を向上させることが可能となる。
【００７３】
また、識別情報送信装置１０の位置に応じた対象情報を出力することで、同一の移動体端末２０に対して位置に応じて異なる対象情報を出力することができ、利用者にとっての対象情報の現実感や利便性が一層向上する。
【００７４】
また、発電ユニット１２が外部からの圧力を受けて発電を行った場合に識別信号を送信するので、特定の発電ユニット１２を押圧等したことをトリガーとして対象情報を出力することができ、発電手段の位置と対象情報を出力する位置とを相互に一層確実に対応付けることが可能になるので、利用者にとっての対象情報の現実感や利便性が一層向上する。
【００７５】
また、人が発電ユニット１２を直接的又は間接的に踏んだ際の圧力によって発電を行った場合に識別信号を送信するので、人が発電ユニット１２を踏んだことをトリガーとして対象情報を出力することができ、人が発電手段を意識的に操作することなく対象情報を出力することができ、利用者にとっての対象情報の利便性が一層向上する。
【００７６】
また、送信装置識別情報及び発電手段識別情報に基づいて対象情報を取得して出力することで、識別情報送信装置１０が複数の発電ユニット１２を備える場合であっても、発電を行った発電手段に応じて異なる対象情報を出力することができ、利用者にとっての対象情報の現実感や利便性が一層向上する。
【００７７】
また、対象情報設定情報にて特定された対象情報のみを出力部２３から出力するので、利用者は自己が希望する種類の対象情報のみを出力部２３から出力させることが可能になる等、利用者にとっての対象情報の利便性が一層向上する。
【００７８】
また、移動体端末２０から対象情報を取得するので、情報提供サーバ３０を用いることなく情報提供を行うことが可能になり、情報提供システムを簡易に構成することが可能になる。
【００７９】
また、情報提供サーバ３０から対象情報を取得するので、複数の移動体端末２０の各々に膨大なデータ量の対象情報を記憶させておく必要がなくなり、移動体端末２０の記憶容量や処理負荷を低減することが可能になる。
【００８０】
また、識別情報送信装置１０の発電ユニット１２にて発電された電力を用いて識別情報送信装置１０から識別信号を送信することにより、識別情報送信装置１０を商用電源や電池にて駆動する場合に比べて、識別信号を送信する範囲の自由度を向上させることが可能となる。
【００８１】
〔III〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、従来のシステムによりも、利用者に対して情報提示を行うことができる範囲の自由度が向上していない場合であっても、従来と同様の情報提供を従来とは異なるシステムによって実施できている場合には、本願の課題が解決されている。
【００８３】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。例えば、情報提供サーバ３０を複数の装置に分散して構成してもよい。また、各部を分散する場合において、これら各部の相互間の連携は、有線と無線のいずれか一方又は両方により行うことができる。
【００８４】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００８５】
（利用分野）
上記実施の形態では、テーマパークの利用者に対象情報を提供する場合について説明したが、その他の種々の分野で情報提供システムを活用することができる。例えば、美術館や博物館において、観覧者の移動体端末２０に、展示品の説明や鑑賞経路の案内を対象情報として送信してもよい。あるいは、店舗において、買い物客の移動体端末２０に、商品やサービスの説明やクーポンを対象情報として送信してもよい。あるいは、利用者が特定の場所に移動したことを証明するための証拠システムとして利用することもできる。例えば、オフィス等の警備担当者が、所定の警備エリアに移動する毎に識別情報送信装置１０で発電して識別信号を送信し、その履歴が情報提供サーバ３０に蓄積されることで、警備担当者が当該警備エリアに移動したことの証拠を残すことが可能になる監視システムや警備システムを構築することができる。同様に、マラソンランナーが、所定のチェックポイントを通過する毎に識別情報送信装置１０で発電して識別信号を送信したり、登山者が、特定の山の山頂等に到達した際に識別情報送信装置１０で発電して識別信号を送信したりすることで、これらマラソンランナーや登山者の移動履歴を証拠として残すことが可能になる。
【００８６】
（対象情報について）
上記実施の形態では、移動体端末２０が対象情報を出力部２３から出力する場合について説明したが、対象情報を出力する場合に限定されず、対象情報を他の形態で利用してもよい。例えば、対象情報が、移動体端末２０にインストールされるプログラムである場合には、このプログラムを移動体端末２０にインストールして実行することで、当該プログラムの内容に応じた機能を実現することが可能になる。あるいは、対象情報が、移動体端末２０にインストールされたプログラムを制御するための制御コマンドや制御パラメータである場合には、これらの制御コマンドや制御パラメータによってプログラムを制御することで、当該制御コマンドや制御パラメータの内容に応じた機能を実現することが可能になる。例えば、ワイヤレスリモコンとして構成された識別情報送信装置１０を利用者が操作した場合に、この利用者が持っている移動体端末２０のカメラのシャッターを自動的に動作させて、写真や動画を撮影するようにしてもよい。このように対象情報が、プログラム、制御コマンド、あるいは制御パラメータである場合には、移動体端末２０の端末側記憶部２４に記憶させた対象情報要求設定テーブル２４ａに、これらプログラム、制御コマンド、あるいは制御パラメータによる制御内容を特定するための対象情報設定情報を記憶させておき、対象情報設定情報に応じて制御内容を決定してもよい。例えば、上記カメラの例において、写真と動画のいずれを撮影するのかを特定するための対象情報設定情報を記憶させておき、対象情報設定情報に応じて写真又は動画を撮影するようにしてもよい。
【００８７】
（対象情報設定情報について）
上記実施の形態では、対象情報設定情報に基づいて対象情報を出力するか否かを判定する場合について説明したが、対象情報設定情報に基づいて対象情報を利用するか否かを判定できればよく、例えば、対象情報を出力するか否かの判定に代えて、対象情報を取得するか否かを判定してもよい。具体的には、移動体端末２０から情報提供サーバ３０に送信する第２識別信号に対象情報設定情報を含めて送信し、情報提供サーバ３０のサーバ側制御部３３が、この対象情報設定情報に基づいて、対象情報を移動体端末２０に送信すべきか否かを判定し、送信すべきと判定した場合にのみ対象情報を送信するようにすることで、移動体端末２０は、特定の対象情報のみを情報提供サーバ３０から取得し、他の対象情報については情報提供サーバ３０から取得しないようにすることができる。
【００８８】
（識別情報送信装置について）
上記実施の形態では、識別情報送信装置１０の発電ユニット１２は、外部からの力を利用して電力を発生させる装置であると説明したが、これに限られない。例えば、発電ユニット１２は、振動により発電素子を変形させる振動発電装置、太陽光や人工光を利用して電力を発生させる太陽電池を備えた公知の太陽光発電装置、風力を利用した公知の風力発電装置であってもよく、水力や波力を利用した公知の水力発電装置、ペルチェ素子等を用いて温度差により発電を行う公知の温度差発電装置、電波により発電を行う公知の電波発電装置、音のエネルギーにより圧電素子等を振動させて発電を行う公知の音力発電装置等、任意の環境エネルギー利用型の発電装置を用いることができる。また、発電ユニット１２を、外部からの力を利用して電力を発生させる装置とする場合であっても、識別情報送信装置１０は床に設置するものに限定することなく、例えば、壁に設定した識別情報送信装置１０の可動板１１ｃを利用者が手や指で押圧することで発電を行うようにしてもよく、あるいは、床や壁に固定されていない非固定式の識別情報送信装置１０を利用者が操作することで発電を行うようにしてもよい。このような非固定式の識別情報送信装置１０としては、例えば、発電ユニット１２の電力により駆動するワイヤレスリモコンが該当する。あるいは、非固定式の識別情報送信装置１０としては、例えば、ハンドルを介してフライホイールを回転させる装置であって、ハンドルを時計回りと反時計回りのいずれに回転させても公知の遊星ギア等を介してフライホイールを同一方向に回転させる装置であり、ハンドルから手を放してもフライホイールが継続して回転する際の回転力によってダイナモ等により発電を行う手回し式回転型発電装置が該当する。
【００８９】
上記実施の形態では、領域Ｒ１、Ｒ２の各々に１台の識別情報送信装置１０を設けているが、複数の識別情報送信装置１０を設けてもよく、あるいは、識別情報送信装置１０を設けない領域があってもよい。また、上記実施の形態では、１台の識別情報送信装置１０に複数の可動板１１ｃと複数の発電ユニット１２を設けているが、１枚の可動板１１ｃと１つの発電ユニット１２のみを有する識別情報送信装置１０を複数台並設してもよく、この場合には、発電ユニット識別情報を省略してもよい。また、特定の位置や方向を指定する必要が無い場合には、位置表示を省略してもよい。また、上記実施の形態では、発電ユニット１２の発電素子を可動板１１ｃを介して間接的に踏む構造について説明したが、可動板１１ｃ以外の部材（例えばマットレス）を介して間接的に踏む構造としたり、可動板１１ｃを介することなく発電素子を直接踏める構造としたりしてもよい。
【００９０】
上記実施の形態では、発電ユニット１２は、振動板の両面に圧電素子を設けるバイモルフ型の発電ユニット１２として説明したが、振動板のいずれか一方の側面のみに圧電素子を設けるユニモルフ型の発電ユニット１２であってもよい。また、圧電素子を保護等するために、圧電素子の全体又は一部を覆うための樹脂（ピエソフィルム等）をさらに備えてもよい。あるいは、例えば、振動板を省略してもよい。
【００９１】
（移動体端末２０について）
上記実施の形態では、情報提供サーバ３０から対象情報を移動体端末２０に提供する場合について説明したが、移動体端末２０に対象情報を記憶させておき、移動体端末２０から対象情報を取得するようにしてもよい。例えば、移動体端末２０の端末側記憶部２４には、送信装置識別情報と対象情報とを関連付けて記憶させておく。具体的には、例えば、サーバ側情報テーブル３２ａと同様のテーブルを予め記憶させておく。そして、端末側制御部２５の端末側情報取得部２５ａは、端末側通信部２１にて受信された識別信号に含まれる送信装置識別情報に対応する対象情報を端末側記憶部２４のテーブルから取得し、当該取得した対象情報を出力部２３を介して出力する。また、端末側情報取得部２５ａは、対象情報を取得した日時を端末側記憶部２４のテーブルに記憶させることで当該テーブルを更新する。このように移動体端末２０から対象情報を取得する場合には、情報提供サーバ３０を省略することが可能となり、例えば、情報提供サーバ３０と通信を行うことが困難な環境（地下等）においても、対象情報を提供することが可能になる。あるいは、情報提供サーバ３０と移動体端末２０との両方から対象情報を取得するようにしてもよく、この場合には、例えば、比較的データ量が小さい対象情報（例えば告知情報等のテキスト情報）については移動体端末２０から取得し、比較的データ量が大きい対象情報（例えば動画情報）については情報提供サーバ３０から取得するようにしてもよい。このように情報提供サーバ３０と移動体端末２０との両方から対象情報を取得するためには、例えば、本変形例において上述したように移動体端末２０からの対象情報の取得を行い、取得できなかった場合には、対象情報が情報提供サーバ３０に記憶されているものとして、上記実施の形態で説明したように報提供サーバからの対象情報の取得を行うようにすればよい。
【００９２】
（情報提供サーバについて）
上記実施の形態では、情報提供サーバ３０に対象情報を記憶させておく場合について説明したが、情報提供サーバ３０は、必要に応じて対象情報を外部から取得して移動体端末２０に送信するものであってもよい。
【００９３】
（付記）
付記１に記載の情報提供システムは、識別情報送信装置と移動体端末とを備える情報提示システムであって、前記識別情報送信装置は、環境エネルギーを利用して電力を発電する発電手段と、当該識別情報送信装置を一意に識別するための送信装置識別情報を記憶する識別側記憶手段と、前記発電手段にて発電された電力を用いて、送信条件が充足した際に、前記識別側記憶手段にて記憶された送信装置識別情報を含む識別信号を無線にて送信する識別側通信手段とを備え、前記移動体端末は、前記識別情報送信装置の前記識別側通信手段から送信された識別信号を受信する端末側通信手段と、前記端末側通信手段にて受信された識別信号に含まれる送信装置識別情報に基づいて、当該移動体端末が備える端末側記憶手段又は当該移動体端末と通信可能に接続された情報提供サーバから対象情報を取得する端末側情報取得手段とを備える。
【００９４】
また、付記２に記載の情報提供システムは、付記１に記載の情報提示システムにおいて、前記移動体端末は、前記端末側情報取得手段にて取得した対象情報を当該移動体端末の外部に出力する出力手段を備える。
【００９５】
また、付記３に記載の情報提供システムは、付記１又は２に記載の情報提示システムにおいて、前記移動体端末の前記端末側情報取得手段は、前記端末側通信手段にて受信された識別信号に含まれる送信装置識別情報に基づいて、前記識別情報送信装置の位置を特定し、当該特定した位置に応じた対象情報を取得する。
【００９６】
また、付記４に記載の情報提供システムは、付記１から３のいずれか一項に記載の情報提示システムにおいて、前記識別情報送信装置の前記発電手段は、外部からの圧力を受けて発電を行う受圧型発電手段であり、前記識別情報送信装置の前記識別側通信手段は、前記発電手段が外部からの圧力を受けて発電を行った場合に、前記送信条件が充足したと判定して前記識別信号を送信する。
【００９７】
また、付記５に記載の情報提供システムは、付記４に記載の情報提示システムにおいて、前記識別情報送信装置の前記発電手段は、人が前記発電手段を直接的又は間接的に踏んだ際の圧力によって当該発電手段が発電を行う床型発電手段である。
【００９８】
また、付記６に記載の情報提供システムは、付記１から５のいずれか一項に記載の情報提示システムにおいて、前記識別情報送信装置は、前記発電手段を複数備え、前記識別情報送信装置の前記識別側通信手段は、前記複数の発電手段のうち、発電を行った前記発電手段を識別する発電手段識別情報を前記識別信号に含めて送信し、前記移動体端末の前記端末側情報取得手段は、前記端末側通信手段にて受信された識別信号に含まれる送信装置識別情報及び発電手段識別情報に基づいて前記対象情報を取得する。
【００９９】
また、付記７に記載の情報提供システムは、付記１から６のいずれか一項に記載の情報提示システムにおいて、前記移動体端末には、当該移動体端末が取得すべき対象情報又は当該移動体端末が取得した対象情報に基づく制御内容を特定するための対象情報設定情報が設定されており、当該対象情報設定情報に基づいて対象情報の取得又は取得した対象情報に基づく制御を行う。
【０１００】
また、付記８に記載の情報提供システムは、付記１から７のいずれか一項に記載の情報提示システムにおいて、前記移動体端末は、前記送信装置識別情報と前記対象情報とを関連付けて記憶する前記端末側記憶手段を備え、前記移動体端末の前記端末側情報取得手段は、前記端末側通信手段にて受信された識別信号に含まれる送信装置識別情報に対応する前記対象情報を前記端末側記憶手段から取得する。
【０１０１】
また、付記９に記載の情報提供システムは、付記１から７のいずれか一項に記載の情報提示システムにおいて、前記移動体端末と通信可能に接続された前記情報提供サーバを備え、前記情報提供サーバは、前記送信装置識別情報と前記対象情報とを関連付けて記憶する前記サーバ側記憶手段と、前記移動体端末と無線通信を行うサーバ側通信手段と、前記対象情報を取得するサーバ側情報取得手段とを備え、前記移動体端末の前記端末側情報取得手段は、前記識別情報送信装置から送信され前記端末側通信手段にて受信された識別信号から送信装置識別情報を取得し、当該取得した送信装置識別情報を含む第２識別信号を前記端末側通信手段を介して前記情報提供サーバに送信し、前記情報提供サーバの前記サーバ側情報取得手段は、前記移動体端末から送信され前記サーバ側通信手段にて受信された第２識別信号から送信装置識別情報を取得し、当該取得した送信装置識別情報に対応する前記対象情報を前記サーバ側記憶手段から取得し、当該取得した前記対象情報を前記サーバ側通信手段を介して前記移動体端末に送信し、前記移動体端末の前記端末側情報取得手段は、前記端末側通信手段を介して前記情報提供サーバから前記対象情報を受信することにより、前記情報提供サーバから前記対象情報を取得する。
【０１０２】
また、付記１０に記載の識別情報送信装置は、移動体端末に対して情報を提示する情報提示システムを構成する識別情報送信装置であって、環境エネルギーを利用して電力を発電する発電手段と、当該識別情報送信装置を一意に識別するための送信装置識別情報を記憶する識別側記憶手段と、前記発電手段にて発電された電力を用いて、送信条件が充足した際に、前記識別側記憶手段にて記憶された送信装置識別情報を含む識別信号を無線にて前記移動体端末に送信する識別側通信手段とを備える。
【０１０３】
（付記の効果）
付記１に記載の情報提供システムによれば、対象情報を移動体端末が取得することで、特定の場所に固定した装置が取得して出力等する場合に比べて、対象情報を取得できる範囲の自由度を向上させることが可能となる。また、識別情報送信装置の発電手段にて発電された電力を用いて識別情報送信装置から識別信号を送信することにより、識別情報送信装置を商用電源や電池にて駆動する場合に比べて、識別信号を送信する範囲の自由度を向上させることが可能となる。これらのことから、全体として、利用者に対して情報提示を行うことができる範囲の自由度を向上させることが可能となる。
【０１０４】
付記２に記載の情報提供システムによれば、対象情報を移動体端末が出力することで、対象情報を出力できる範囲の自由度を向上させることが可能となる。
【０１０５】
付記３に記載の情報提供システムによれば、識別情報送信装置の位置に応じた対象情報を取得することで、同一の移動体端末に対して位置に応じて異なる対象情報を取得することができ、利用者にとっての対象情報の現実感や利便性が一層向上する。
【０１０６】
付記４に記載の情報提供システムによれば、発電手段が外部からの圧力を受けて発電を行った場合に識別信号を送信するので、特定の発電手段を押圧等したことをトリガーとして対象情報を取得することができ、発電手段の位置と対象情報を取得する位置とを相互に一層確実に対応付けることが可能になるので、利用者にとっての対象情報の現実感や利便性が一層向上する。
【０１０７】
付記５に記載の情報提供システムによれば、人が発電手段を直接的又は間接的に踏んだ際の圧力によって発電を行った場合に識別信号を送信するので、人が発電手段を踏んだことをトリガーとして対象情報を出力することができ、人が発電手段を意識的に操作することなく対象情報を取得することができ、利用者にとっての対象情報の利便性が一層向上する。
【０１０８】
付記６に記載の情報提供システムによれば、送信装置識別情報及び発電手段識別情報に基づいて対象情報を取得することで、識別情報送信装置が複数の発電手段を備える場合であっても、発電を行った発電手段に応じて異なる対象情報を取得することができ、利用者にとっての対象情報の現実感や利便性が一層向上する。
【０１０９】
付記７に記載の情報提供システムによれば、対象情報設定情報にて特定された対象情報のみを取得したり、対象情報設定情報にて特定された制御内容による制御のみを行うので、利用者は自己が希望する種類の対象情報のみを取得したり、利用者は自己が希望するサービスのみを受けることが可能になる等、利用者にとっての対象情報の利便性が一層向上する。
【０１１０】
付記８に記載の情報提供システムによれば、移動体端末から対象情報を取得するので、情報提供サーバを用いることなく情報提供を行うことが可能になり、情報提供システムを簡易に構成することが可能になる。
【０１１１】
付記９に記載の情報提供システムによれば、情報提供サーバから対象情報を取得するので、複数の移動体端末の各々に膨大なデータ量の対象情報を記憶させておく必要がなくなり、移動体端末の記憶容量や処理負荷を低減することが可能になる。
【０１１２】
付記１０に記載の識別情報送信装置によれば、識別情報送信装置の発電手段にて発電された電力を用いて識別情報送信装置から識別信号を送信することにより、識別情報送信装置を商用電源や電池にて駆動する場合に比べて、識別信号を送信する範囲の自由度を向上させることが可能となる。
【符号の説明】
【０１１３】
１  情報提供システム
１０  識別情報送信装置
１１  筐体
１１ａ  固定板
１１ｂ  支持板
１１ｃ  可動板
１１ｄ  位置方向表示
１２  発電ユニット
１２ａ  発電モジュール
１２ｂ  発電体
１２ｃ  振動板
１２ｄ  圧電素子
１２ｅ  周辺スペーサ
１２ｆ  中心スペーサ
１３  識別側記憶部
１３ａ  識別側情報テーブル
１４  識別側通信部
１５  識別側制御部
２０  移動体端末
２１  端末側通信部
２２  入力部
２３  出力部
２４  端末側記憶部
２４ａ  対象情報要求設定テーブル
２５  端末側制御部
２５ａ  端末側情報取得部
３０  情報提供サーバ
３１  サーバ側通信部
３２  サーバ側記憶部
３２ａ  サーバ側情報テーブル
３３  サーバ側制御部
３３ａ  サーバ側情報取得部
Ｒ１、Ｒ２  領域
【図１】
2015187766.tif 000003
【図２】
2015187766.tif 000004
【図３】
2015187766.tif 000005
【図４】
2015187766.tif 000006
【図５】
2015187766.tif 000007
【図６】
2015187766.tif 000008
【図７】
2015187766.tif 000009
【図８】
2015187766.tif 000010
【図９】
2015187766.tif 000011
【図１０】
2015187766.tif 000012
【図１１】
2015187766.tif 000013
【図１２】
2015187766.tif 000014